(57)【特許請求の範囲】
【請求項１】
誘電体の上部に導体部が搭載されてなる誘電体アンテナと、
前記誘電体アンテナの前記導体部により放射・捕捉される電波を介してＲＦタグに対してデータを読み書きするＲＦタグ制御手段と、
前記誘電体アンテナの前記導体部が電波を放射する放射方向とは反対側に位置するように当該誘電体アンテナの背面側に設けられている導体部材とを備え、
前記誘電体アンテナ及び前記ＲＦタグ制御手段は、平板形状をなす多層基板上に実装され、
前記導体部材は、前記多層基板における多数の層のうち一の層をなす導体層から構成され、
前記導体部材は、長手方向の寸法が前記誘電体アンテナの前記導体部により放射・捕捉される電波の波長の２分の１倍に相当する寸法に構成されていることを特徴とするＲＦタグ読み書き装置。
【請求項２】
請求項１に記載したＲＦタグ読み書き装置において、
前記導体層は、グランド層又は電源層から構成されていることを特徴とするＲＦタグ読み書き装置。
【請求項３】
請求項１に記載したＲＦタグ読み書き装置において、
前記導体部材は、線形状をなす線状部材により構成されていることを特徴とするＲＦタグ読み書き装置。
【請求項４】
請求項１乃至３の何れかに記載したＲＦタグ読み書き装置において、
前記誘電体アンテナの前記導体部により放射・捕捉される電波の波長の２分の１倍に相当する寸法に構成されている羽導体部材を備え、
前記導体部材の長手方向と前記羽導体部材の長手方向とが直交するように前記導体部材と前記羽導体部材とが配置されていることを特徴とするＲＦタグ読み書き装置。
【請求項５】
請求項４に記載したＲＦタグ読み書き装置において、
前記羽導体部材は、格納状態と展開状態との間で回動可能であり、前記格納状態で前記導体部材の長手方向に沿うように構成され、前記展開状態で前記導体部材の長手方向に対して直交する方向に前記誘電体アンテナの前記導体部により放射・捕捉される電波の波長の２分の１倍に相当する寸法を有するように構成されていることを特徴とするＲＦタグ読み書き装置。
【請求項６】
請求項１乃至５の何れかに記載したＲＦタグ読み書き装置において、
前記誘電体アンテナの前記導体部は、９５３ＭＨｚ帯域の電波を放射・捕捉する特性を有することを特徴とするＲＦタグ読み書き装置。
【発明の詳細な説明】
【技術分野】
【０００１】
本発明は、誘電体アンテナにより放射・捕捉される電波を介してＲＦタグに対してデータを読み書きするＲＦタグ読み書き装置に関する。
【背景技術】
【０００２】
誘電体アンテナが基板上に実装されている構成として例えば特許文献１、２に示すものがある。
【先行技術文献】
【特許文献】
【０００３】
【特許文献１】特開２００１−６０８２３号公報
【特許文献２】特開２００５−１８４６１５号公報
【発明の概要】
【発明が解決しようとする課題】
【０００４】
ところで、ＲＦタグを利用したデータ通信は長い通信距離を確保することができる点に特徴を有するが、小型のＲＦタグ読み書き装置やハンディ型のＲＦタグ読み書き装置では、構造上の制約により、アンテナのサイズを適切に確保することが困難であり、利得を高めることができず、所望の通信距離を確保することができないのが現状である。
【０００５】
又、アンテナの方式としては直線偏波と回転偏波とがあるが、直線偏波はアンテナとＲＦタグとの位置関係によりデータ通信が成立する場合と成立しない場合とがあり、ハンディ型のＲＦタグ読み書き装置のようなＲＦタグとの相対位置が変動する態様には不適であり、回転偏波が望まれている。しかしながら、回転偏波はアンテナの面上に電流を流す必要があり、アンテナのサイズを大きくする必要がある。このような事情からも、アンテナのサイズが小さい場合には、利得を高めることができず、所望の通信距離を確保することができない。
【０００６】
本発明は、上記した事情に鑑みてなされたものであり、その目的は、アンテナのサイズに制約がある場合であっても、所望の通信距離を適切に確保することを可能とするＲＦタグ読み書き装置を提供することにある。
【課題を解決するための手段】
【０００７】
請求項１に記載した発明によれば、誘電体の上部に導体部が搭載されてなる誘電体アンテナ背面側に、誘電体アンテナの導体部が電波を放射する放射方向とは反対側に位置するように導体部材を設け、導体部材を長手方向の寸法が誘電体アンテナの導体部により放射・捕捉される電波の波長の２分の１倍に相当する寸法に構成したので、導体部材を誘電体アンテナから放射された電波を反射する反射板として機能させることができ、誘電体アンテナから直接放射された電波と誘電体アンテナから放射されて導体部材で反射された電波とを合成させることで利得を高めることができる。これにより、誘電体アンテナのサイズに制約がある場合であっても、所望の通信距離を適切に確保することができる。
【０００８】
また、請求項１に記載した発明によれば、誘電体アンテナ及びＲＦタグ制御手段を平板形状をなす多層基板上に実装し、導体部材を多層基板における多数の層のうち一の層をなす導体層から構成したので、誘電体アンテナから放射された電波を反射する反射板として機能させる導体部材を多層基板における多数の層のうち一の層をなす導体層を用いて実現することができる。
【０００９】
請求項２に記載した発明によれば、導体層をグランド層又は電源層から構成したので、誘電体アンテナから放射された電波を反射する反射板として機能させる導体部材を多層基板における多数の層のうち一の層をなすグランド層又は電源層を用いて実現することができる。
【００１０】
請求項３に記載した発明によれば、導体部材を線形状をなす線状部材により構成したので、誘電体アンテナが基板上に実装されない構成であっても、誘電体アンテナの背面側に線状部材を設けることにより、線状部材を誘電体アンテナから放射された電波を反射する反射板として機能させることができ、誘電体アンテナから直接放射された電波と誘電体アンテナから放射されて線状部材で反射された電波とを合成させることで利得を高めることができる。
【００１１】
請求項４に記載した発明によれば、誘電体アンテナの導体部により放射・捕捉される電波の波長の２分の１倍に相当する寸法に構成されている羽導体部材を備え、導体部材の長手方向と羽導体部材の長手方向とが直交するように導体部材と羽導体部材とを配置したので、導体部材を誘電体アンテナから放射された電波を反射する反射板として機能させることに加えて、羽導体部材をも誘電体アンテナから放射された電波を反射する反射板として機能させることができ、所望の通信距離をより適切に確保することができる。又、羽導体部材を誘電体アンテナにより放射・捕捉される電波の波長の２分の１倍に相当する寸法に構成したので、軸比を「１（０ｄＢ）」とすることにより、ＲＦタグ読み書き装置の向きに拘らずＲＦタグに対してデータを適切に読み書きすることができる。
【００１２】
請求項５に記載した発明によれば、羽導体部材を格納状態と展開状態との間で回動可能とし、格納状態で導体部材の長手方向に沿うように構成し、展開状態で導体部材の長手方向に対して直交する方向に誘電体アンテナの導体部により放射・捕捉される電波の波長の２分の１倍に相当する寸法を有するように構成したので、ＲＦタグに対してデータを読み書きしないときには羽導体部材を格納状態に回動させ、ＲＦタグに対してデータを読み書きするときにのみ羽導体部材を展開状態に回動させれば良く、使い勝手を高めることができる。
【図面の簡単な説明】
【００１３】
【図１】本発明の第１の実施形態を示すもので、ＲＦタグ読み書き装置の平面図及び縦断側面図
【図２】誘電体アンテナが実装されている多層基板の平面図及び縦断側面図
【図３】機能ブロック図
【図４】測定条件及び測定結果を示す図
【図５】図４相当図
【図６】図４相当図
【図７】本発明の第２の実施形態を示すもので、ＲＦタグ読み書き装置の平面図及び縦断側面図
【図８】図４相当図
【図９】本発明の第３の実施形態を示すもので、測定条件及び測定結果を示す図
【図１０】図４相当図
【図１１】図４（ａ）相当図
【図１２】図４（ｂ）相当図
【図１３】図４相当図
【図１４】図４相当図
【発明を実施するための形態】
【００１４】
（第１の実施形態）
以下、本発明の第１の実施形態について、図１乃至図６を参照して説明する。図１（ａ）はＲＦタグ読み書き装置の平面図を示しており、図１（ｂ）はＲＦタグ読み書き装置の縦断側面図を示している。ＲＦタグ読み書き装置（リーダライタ）１は、ユーザが把持可能なハンディ型のものであり、その筐体２は幅広な頭部２ａとユーザが把持する把持部２ｂとが組み合わされて構成されている。頭部２ａには例えば液晶ディスプレイからなる表示部３が設けられており、把持部２ｂには複数のキーが配列されてなるキー操作部４が設けられている。筐体２の内部にはメイン基板としての多層基板５が設けられており、その多層基板５の一方の表面部には誘電体アンテナ６とＲＦタグ制御部７（本発明でいうＲＦタグ制御手段）とが実装されている。
【００１５】
図２（ａ）は誘電体アンテナ６が実装されている多層基板５の平面図を示しており、図２（ｂ）は誘電体アンテナ６が実装されている多層基板５の縦断側面図を示している。多層基板５は、図２にも示すように、その両表面部に電子部品を実装可能に構成されていると共に、その内部にはグランド層８（本発明でいう導体部材、導体層）及び電源層９が積層されている。上記した誘電体アンテナ６は、矩形状の誘電体１０の上部に金属板からなる導体部１１が搭載されて構成されている。多層基板５は、その長手方向の寸法（図２中「Ｌ１」にて示す）が誘電体アンテナ６により放射・捕捉される電波の波長の２分の１倍に相当する寸法よりも長く構成されており、その多層基板５の内部に積層されているグランド層８は、その長手方向の寸法（図２中「Ｌ２」にて示す）が誘電体アンテナ６により放射・捕捉される電波の波長の２分の１倍に相当する寸法と同等に構成されている。又、グランド層８は、幅狭な箇所を境に上半部分８ａと下半部分８ｂとされ、誘電体アンテナ６は、グランド層８の上半部分８ａに搭載されている。誘電体アンテナ６は、グランド層８の長手方向の端部から誘電体アンテナ６により放射・捕捉される電波の波長の４分の１倍に相当する寸法だけ離れた位置、つまり、グランド層８の長手方向の中央部に搭載されている。又、筐体２の内部にはＲＦタグ読み書き装置１の動作電力を各部に供給するバッテリ１２が搭載されている。
【００１６】
図３は、上記したＲＦタグ読み書き装置１の電気的な構成を機能ブロック図により示している。処理部１３は、ＣＰＵ１４、メモリ１５及び入出力部１６を有し、上記した表示部３、キー操作部４及びＲＦタグ制御部７を接続して構成されている。ＣＰＵ１４は、データ通信指令をＲＦタグ制御部７に出力することにより、送信データを変調して所定周波数の電波を誘電体アンテナ６から放射する送信処理及び誘電体アンテナ６により捕捉された所定周波数の電波を復調して受信データを抽出する受信処理をＲＦタグ制御部７により行わせる。又、ＣＰＵ１４は、表示指令を表示部３に出力することにより、各種の表示情報を表示部３に表示させ、ユーザがキー操作部４を操作したことに応じてキー操作部４から入力した操作信号を受付けて処理する。尚、処理部１３を構成する各種の電子部品は多層基板５の表面上に実装されている。尚、誘電体アンテナ６が放射・捕捉する電波の所定周波数は例えば９５２〜９５４［ＭＨｚ］である。
【００１７】
上記した構成では、グランド層８の長手方向の寸法を誘電体アンテナ６により放射・捕捉される電波の波長の２分の１倍に相当する寸法とし、且つ、誘電体アンテナ６をグランド層８の長手方向の中央部に搭載している構成を採用しているが、これは、以下の理由を根拠とするものである。すなわち、発明者は、上記したグランド層８を金属板と見做し、誘電体アンテナと金属板との関係について以下の（１）〜（３）を測定した。尚、ここでいうグランド層８の長手方向の中央部とはある程度の幅を有する範囲を示す。
（１）金属板の長さ（長手方向の寸法）を変化させたときのＶ偏波の最大利得の変化
（２）誘電体アンテナの背面から金属板までの距離を変化させたときのＶ偏波の最大利得の変化
（３）金属板の中央部から誘電体アンテナの中心位置までの距離を変化させたときのＶ偏波の最大利得の変化
【００１８】
図４は、上記した（１）における測定条件（ａ）及び測定結果（ｂ）を示しており、金属板の幅が「４０ｍｍ」、誘電体アンテナの背面から金属板までの距離が「５ｍｍ」、誘電体アンテナの中心位置が金属板の端部から「２５ｍｍ」のときに、金属板の長さを「４０〜２００ｍｍ」で変化させたときのＶ偏波の最大利得の変化を示している。この測定結果から明らかなように、金属板の長さが「約１４５ｍｍ」であるときにＶ偏波の最大利得が最良であることが判る。この金属板の長さである「約１４５ｍｍ」は誘電体アンテナ６が放射・捕捉する所定周波数である例えば９５２〜９５４［ＭＨｚ］の電波の波長の２分の１倍に近い値である。これは、金属板の長手方向の寸法を誘電体アンテナ６により放射・捕捉される電波の波長の２分の１倍に相当する寸法とすることにより、金属板が誘電体アンテナから放射された電波を反射する反射板として機能し、誘電体アンテナから直接放射された電波と誘電体アンテナから放射されて金属板で反射された電波とが合成されることで利得が高められためである。
【００１９】
図５は、上記した（２）における測定条件（ａ）及び測定結果（ｂ）を示しており、金属板の幅が「４０ｍｍ」、金属板の長さが「１４０ｍｍ」、誘電体アンテナの中心位置が金属板の端部から「２５ｍｍ」のときに、誘電体アンテナの背面から金属板までの距離を「５〜４０ｍｍ」で変化させたときのＶ偏波の最大利得の変化を示している。この測定結果から明らかなように、誘電体アンテナの背面から金属板までの距離が「約１０〜２０ｍｍ」であるときにＶ偏波の最大利得が最良であることが判る。
【００２０】
図６は、上記した（３）における測定条件（ａ）及び測定結果（ｂ）を示しており、金属板の幅が「４０ｍｍ」、金属板の長さが「１４０ｍｍ」、誘電体アンテナの背面から金属板までの距離が「５ｍｍ」のときに、金属板の中央部から誘電体アンテナの中心位置までの距離を「−５０〜０ｍｍ」で変化させたときのＶ偏波の最大利得の変化を示している。この測定結果から明らかなように、金属板の中央部から誘電体アンテナの中心位置までの距離が「０ｍｍ」であるときに（誘電体アンテナが金属板の中央部に近いほど）Ｖ偏波の最大利得が最良であることが判る。
【００２１】
以上に示した測定結果を根拠として、本実施形態では、ハンディ型のＲＦタグ読み書き装置１における誘電体アンテナ６のサイズの制約を解消するために、グランド層８の長手方向の寸法を誘電体アンテナ６により放射・捕捉される電波の波長の２分の１倍に相当する寸法とし、且つ、誘電体アンテナ６をグランド層８の長手方向の中央部に搭載しているものである。
【００２２】
以上に説明したように第１の実施形態によれば、ＲＦタグ読み書き装置１において、多層基板５のグランド層８の長手方向の寸法を誘電体アンテナ６により放射・捕捉される電波の波長の２分の１倍に相当する寸法としたので、多層基板５のグランド層８を誘電体アンテナ６から放射された電波を反射する反射板として機能させることができ、誘電体アンテナ６から直接放射された電波と誘電体アンテナ６から放射されて多層基板５のグランド層８で反射された電波とを合成させることで利得を高めることができ、誘電体アンテナ６のサイズに制約がある場合であっても、所望の通信距離を適切に確保することができる。
【００２３】
又、誘電体アンテナ６をグランド層８の長手方向の中央部に配置したので、利得をより確実に高めることができる。又、多層基板５のグランド層８を誘電体アンテナ６から放射された電波を反射する反射板として機能させるように構成したので、反射板として機能させる層を別途設ける必要がなく、グランド層８を用いて実現することができる。
【００２４】
（第２の実施形態）
次に、本発明の第２の実施形態について、図７及び図８を参照して説明する。尚、上記した第１の実施形態と同一部分については説明を省略し、異なる部分について説明する。この第２の実施形態は、上記した第１の実施形態に対して羽アンテナ部を追加したものである。
【００２５】
図７（ａ）、（ｂ）はＲＦタグ読み書き装置の平面図を示しており、図７（ｃ）はＲＦタグ読み書き装置の縦断側面図を示している。すなわち、ＲＦタグ読み書き装置２１の筐体２２は頭部２２ａと把持部２２ｂとが同一幅で構成されており、頭部２２ａには表示部２３が設けられており、把持部２２ｂには上記した第１の実施形態で説明したキー操作部４が設けられている。筐体２２の内部にはメイン基板としての多層基板２４が設けられており、その多層基板２４の一方の表面部には上記した第１の実施形態で説明した誘電体アンテナ６とＲＦタグ制御部７とが実装されている。
【００２６】
多層基板２４は、その両表面部に電子部品を実装可能に構成されていると共に、その内部にはグランド層２５及び電源層が積層されている。グランド層２５は、上記した第１の実施形態で説明したグランド層８と同様にして、その長手方向の寸法（図７中「Ｌ３」にて示す）が誘電体アンテナ６により放射・捕捉される電波の波長の２分の１倍に相当する寸法に構成されており、幅狭な箇所を境に上半部分２５ａと下半部分２５ｂとされている。誘電体アンテナ６は、グランド層２５の長手方向の端部から誘電体アンテナ６により放射・捕捉される電波の波長の４分の１倍に相当する寸法だけ離れた位置、つまり、グランド層２５の長手方向の中央部に搭載されている。
【００２７】
そして、この第２の実施形態では、グランド層２５に左右対称に羽アンテナ部２６（本発明でいう羽導体部材）が回動可能に設けられている。羽アンテナ部２６は、筐体２２の長手方向に沿って格納される格納状態（（ａ）に示す状態）と、それらの先端側が筐体２２から突出される展開状態（（ｂ）に示す状態）との間で回動可能になっており、展開状態での寸法（図７中「Ｌ４」にて示す）は誘電体アンテナ６により放射・捕捉される電波の波長の２分の１倍に相当する寸法とされている。これは、以下の理由を根拠とするものである。すなわち、発明者は、羽アンテナ部の形状について軸比を測定した。
【００２８】
図８は、測定条件（ａ）、（ｂ）及び測定結果（ｃ）を示しており、金属板の幅が「４０ｍｍ」、金属板の長さが「１４０ｍｍ」、誘電体アンテナの背面から金属板までの距離が「５ｍｍ」のときに、羽アンテナ部の形状（横方向の寸法及び縦方向の寸法）を変化させたときの軸比の変化を示している。この測定結果から明らかなように、羽アンテナ部の横方向の寸法が「約１２０ｍｍ」であるときに軸比が最良（軸比が「１（０ｄＢ）」に近い）であることが判り、この羽アンテナ部の横方向の寸法である「約１２０ｍｍ」は誘電体アンテナが放射・捕捉する所定周波数である例えば９５２〜９５４［ＭＨｚ］の電波の波長の２分の１倍に近い値である。
【００２９】
この場合、軸比が「１」から大きく外れてしまうと、ＲＦタグ読み書き装置２１においてデータを読み書き可能な向きと読み書き不可能な向きとが発生することになるので、軸比は「１」に近い方が望ましい。本実施形態では、羽アンテナ部２６の横方向の寸法を誘電体アンテナ６が放射・捕捉する所定周波数である例えば９５２〜９５４［ＭＨｚ］の電波の波長の２分の１倍に近い値にすることにより、軸比を「１」に近い値としており、その結果、ユーザは、ＲＦタグ読み書き装置２１の向きを意識することなく、データを読み書きすることができ、使い勝手を高めることができる。
【００３０】
以上に説明したように第２の実施形態によれば、ＲＦタグ読み書き装置２１において、多層基板２４のグランド層２５の長手方向の寸法を誘電体アンテナ６により放射・捕捉される電波の波長の２分の１倍に相当する寸法としたので、上記した第１の実施形態に記載したものと同様にして、多層基板２４のグランド層２５を誘電体アンテナ６から放射された電波を反射する反射板として機能させることができ、誘電体アンテナ６から直接放射された電波と誘電体アンテナ６から放射されて多層基板２４のグランド層２５で反射された電波とを合成させることで利得を高めることができ、誘電体アンテナ６のサイズに制約がある場合であっても、所望の通信距離を適切に確保することができる。
【００３１】
又、この場合は、羽アンテナ部２６を設けたので、多層基板２４のグランド層２５をも誘電体アンテナ６から放射された電波を反射する反射板として機能させることに加えて、羽アンテナ部２６をも誘電体アンテナ６から放射された電波を反射する反射板として機能させることができ、所望の通信距離をより適切に確保することができる。又、羽アンテナ部２６の寸法を誘電体アンテナ６により放射・捕捉される電波の波長の２分の１倍に相当する寸法に構成したので、軸比を略「１」にすることができ、ＲＦタグ読み書き装置１の向きに拘らずＲＦタグに対してデータを適切に読み書きすることができ、使い勝手を高めることができる。
【００３２】
さらに、羽アンテナ部２６を格納状態と展開状態との間で回動可能に構成したので、ＲＦタグに対してデータを読み書きしないときには羽アンテナ部２６を格納状態に回動させ、ＲＦタグに対してデータを読み書きするときにのみ羽アンテナ部２６を展開状態に回動させれば良く、使い勝手を高めることができる。
【００３３】
（第３の実施形態）
次に、本発明の第３の実施形態について、図９乃至図１４を参照して説明する。尚、上記した第１の実施形態と同一部分については説明を省略し、異なる部分について説明する。この第３の実施形態は、誘電体アンテナが多層基板に実装されない構成であり、誘電体アンテナの背面に線形状をなす線状部材を設けることにより、多層基板のグランド層に代えて線状部材を反射板として機能させる構成である。
【００３４】
すなわち、発明者は、上記した線状部材を金属線と見做し、誘電体アンテナと金属線との関係について測定した。
図９は、誘電体アンテナの背面に金属線を配置する構成についての測定条件（ａ）及び測定結果（ｂ）を示しており、誘電体アンテナの背面から金属線までの距離が「５ｍｍ」、誘電体アンテナの中心位置が金属線の端部から「７０ｍｍ」のときに、金属線の長さを変化させたときの利得の変化を示している。この測定結果から明らかなように、誘電体アンテナから上方に引出される（「９０ｍｍ」に加算される）金属線の長さが「約８０ｍｍ」であるときに、つまり、金属線の全長が「約１７０ｍｍ」であるときに、上記した誘電体アンテナの背面に金属板を配置した構成と同等の利得が得られていることが判り、金属線が上記した金属板と同様に反射部材として機能していることが判る。
【００３５】
図１０は、誘電体アンテナの背面に金属線を当該誘電体アンテナの中心位置からオフセットして配置する構成についての測定条件（ａ）及び測定結果（ｂ）を示しており、誘電体アンテナの背面から金属線までの距離が「５ｍｍ」、誘電体アンテナの中心位置が金属線の端部から「７０ｍｍ」、金属線の全長が「１７０ｍｍ」のときに、オフセットする長さを変化させたときの利得の変化を示している。この測定結果から明らかなように、金属線が誘電体アンテナの中心位置でなく中心線から多少外れて配置されているときでも、金属線が誘電体アンテナの中心位置に配置されているときと同等の利得が得られていることが判り、金属線が上記した金属板と同様に反射部材として機能していることが判る。
【００３６】
図１１及び図１２は、誘電体アンテナの背面に２本の金属線を左右対称に配置する構成
についての測定条件（図１１（ａ）、（ｂ））及び測定結果（図１２（ａ）〜（ｃ））を示しており、誘電体アンテナの背面から金属線までの距離が「５ｍｍ」、誘電体アンテナの中心位置が金属線の端部から「７０ｍｍ」、２本の金属線の間隔が「３０ｍｍ」及び「４０ｍｍ」であるときに、金属線の長さを変化させたときの利得の変化を示している。この測定結果から明らかなように、誘電体アンテナから上方に引出される金属線の長さが「約５０〜８０ｍｍ」であるときに、つまり、金属線の全長が「約１４０〜１７０ｍｍ」であるときに、上記した誘電体アンテナの背面に金属板を配置した構成と同等の利得が得られていることが判り、金属線が上記した金属板と同様に反射部材として機能していることが判る。又、２本の金属線の間隔が相違することで最大利得に大差はないが、２本の金属線の間隔が「３０ｍｍ」である方が利得の低下が少ないことが判る。
【００３７】
図１３は、誘電体アンテナの背面に２本の金属線を左右対称に配置する構成についての測定条件（ａ）及び測定結果（ｂ）を示しており、誘電体アンテナの背面から金属線までの距離が「５ｍｍ」、誘電体アンテナの中心位置が金属線の端部から「７０ｍｍ」であるときに、２本の金属線の間隔を変化させたときの利得の変化を示している。この測定結果から明らかなように、２本の金属線の間隔を「４０ｍｍ」から大きくすると、利得が低下することが判る。
【００３８】
図１４は、誘電体アンテナの背面に２本の金属線を左右対称に配置する構成についての測定条件（ａ）及び測定結果（ｂ）、（ｃ）を示しており、誘電体アンテナの背面から金属線までの距離が「５ｍｍ」、誘電体アンテナの中心位置が金属線の端部から「７０ｍｍ」であるときに、２本の金属線をＬ字形状に構成したときの利得の変化を示している。この測定結果から明らかなように、折り曲げ位置が誘電体アンテナに近くなるにしたがって利得は低下するものの単純に直線状に短くする構成よりも利得の低下が緩やかであることが判る。
【００３９】
以上に説明したように第３の実施形態によれば、誘電体アンテナ６が基板上に実装されていない構成であっても、誘電体アンテナ６の背面側に線状部材を設けることにより、線状部材を誘電体アンテナ６から放射された電波を反射する反射板として機能させることができ、誘電体アンテナ６から直接放射された電波と誘電体アンテナ６から放射されて線状部材で反射された電波とを合成させることで利得を高めることができる。
【００４０】
（その他の実施形態）
本発明は、上記した実施形態にのみ限定されるものではなく、以下のように変形又は拡張することができる。
ＲＦタグ読み書き装置は、ＲＦタグに対してデータを読み書きする専用の装置に限らず、ＲＦタグに対してデータを読み書きするモジュールが組み込まれた携帯電話機や携帯情報端末などの携帯端末であっても良い。又、ＲＦタグ読み書き装置は、固定されて用いられる態様のものであっても良い。
【００４１】
電源層の長手方向の寸法を誘電体アンテナにより放射・捕捉される電波の波長の２分の１倍に相当する寸法とし、且つ、誘電体アンテナを電源層の中央部に配置することにより、グランド層に代えて電源層を反射板として機能させる構成であっても良い。
第２の実施形態と第３の実施形態を組み合わされても良い。すなわち、誘電体アンテナの背面に２本の金属線を直交するように配置しても良い。
【符号の説明】
【００４２】
図面中、１はＲＦタグ読み書き装置、６は誘電体アンテナ、７はＲＦタグ制御部（ＲＦタグ制御手段）、８はグランド層（導体部材、導体層）、９は電源層、１０は誘電体、１１は導体部、２１はＲＦタグ読み書き装置、２４は多層基板、２５はグランド層（導体部材、導体層）、２６は羽アンテナ部（羽導体部材）である
【図１】
0004989662.tif 000002
【図２】
0004989662.tif 000003
【図３】
0004989662.tif 000004
【図４】
0004989662.tif 000005
【図５】
0004989662.tif 000006
【図６】
0004989662.tif 000007
【図７】
0004989662.tif 000008
【図８】
0004989662.tif 000009
【図９】
0004989662.tif 000010
【図１０】
0004989662.tif 000011
【図１１】
0004989662.tif 000012
【図１２】
0004989662.tif 000013
【図１３】
0004989662.tif 000014
【図１４】
0004989662.tif 000015